【手続補正書】
【提出日】平成24年8月28日(2012.8.28)
【手続補正１】
【補正対象書類名】特許請求の範囲
【補正対象項目名】全文
【補正方法】変更
【補正の内容】
【特許請求の範囲】
【請求項１】
端末装置において上りリンク電力を制御する方法であって、
下りリンク制御情報（ＤＣＩ）を受信するステップと、
上りリンクのリソース割り当てを含むＤＣＩをデコードするステップと、
前記リソース割り当てがＳＣ−ＦＤＭＡとクラスタ化ＳＣ−ＦＤＭＡのどちらを示すかによって上りリンク最大送信電力制限ファクターの値を決定するステップとを含み、
前記上りリンク最大送信電力制限ファクターは、前記端末装置の最大送信電力を制限するために用いられることを特徴とする上りリンク電力を制御する方法。
【請求項２】
端末装置において上りリンク電力を制御する方法であって、
下りリンク制御情報（ＤＣＩ）を受信するステップと、
上りリンクのリソース割り当てを含むＤＣＩをデコードするステップと、
前記リソース割り当てでリソースが連続して割り当てられているか否かによって上りリンク最大送信電力制限ファクターの値を決めるステップとを含み、
前記上りリンク最大送信電力制限ファクターは、前記端末装置の最大送信電力を制限するために用いられることを特徴とする上りリンク電力を制御する方法。
【請求項３】
前記リソース割り当ては、連続リソース割り当てのための一つの開始点を示すか、もしくは不連続リソース割り当てのための二つの開始点を示すことを特徴とする請求項２に記載の上りリンク電力を制御する方法。
【請求項４】
端末装置において上りリンク電力を制御する方法であって、
下りリンク制御情報（ＤＣＩ）を受信するステップと、
上りリンクのリソース割り当てを含むＤＣＩをデコードするステップとを含み、
前記受信したＤＣＩは、前記リソース割り当てのタイプとして、タイプ０またはタイプ１を示す１ビットの情報を含むことを特徴とする上りリンク電力を制御する方法。
【請求項５】
基地局装置で実行することによって上りリンク電力を制御する方法であって、
上りリンクのリソース割り当てを決めるステップと、
連続リソース割り当てのための一つの開始点、もしくは不連続リソース割り当てのための二つの開始点を示す情報を含んだＤＣＩを送信するステップとを含むことを特徴とする上りリンク電力を制御する方法。
【請求項６】
基地局装置で実行することによって上りリンク電力を制御する方法であって、
上りリンクのリソース割り当てタイプを決めるステップと、
前記リソース割り当てタイプとしてタイプ０またはタイプ１を示す１ビットの情報を含んだＤＣＩを送信するステップとを含むことを特徴とする上りリンク電力を制御する方法。
【請求項７】
上りリンク電力を制御する端末装置であって、
下りリンク制御情報（ＤＣＩ）を受信する手段と、
上りリンクのリソース割り当てを含むＤＣＩをデコードする手段と、
前記リソース割り当てがＳＣ−ＦＤＭＡとクラスタ化ＳＣ−ＦＤＭＡのどちらを示すかによって上りリンク最大送信電力制限ファクターの値を決定する手段とを有し、
前記上りリンク最大送信電力制限ファクターは、端末装置の最大送信電力を制限するために用いられることを特徴とする端末装置。
【請求項８】
上りリンク電力を制御する端末装置であって、
下りリンク制御情報（ＤＣＩ）を受信する手段と、
上りリンクのリソース割り当てを含むＤＣＩをデコードする手段と、
前記リソース割り当てでリソースが連続して割り当てられているか否かによって上りリンク最大送信電力制限ファクターの値を決める手段とを有し、
前記上りリンク最大送信電力制限ファクターは、端末装置の最大送信電力を制限するために用いられることを特徴とする端末装置。
【請求項９】
前記リソース割り当ては、連続リソース割り当てのための一つの開始点を示すか、もしくは不連続リソース割り当てのための二つの開始点を示すことを特徴とする請求項８に記載の端末装置。
【請求項１０】
上りリンク電力を制御する端末装置であって、
下りリンク制御情報（ＤＣＩ）を受信する手段と、
上りリンクのリソース割り当てを含むＤＣＩをデコードする手段と、
前記受信したＤＣＩは、前記リソース割り当てのタイプとして、タイプ０またはタイプ１を示す１ビットの情報を含むことを特徴とする端末装置。
【請求項１１】
上りリンク電力の制御に用いられる基地局装置であって、
上りリンクのリソース割り当てを決める手段と、
連続リソース割り当てのための一つの開始点、もしくは不連続リソース割り当てのための二つの開始点を示す情報を含んだＤＣＩを送信する手段とを有することを特徴とする基地局装置。
【請求項１２】
上りリンク電力の制御に用いられる基地局装置であって、
上りリンクのリソース割り当てタイプを決める手段と、
前記リソース割り当てのタイプとしてタイプ０またはタイプ１を示す１ビットの情報を含んだＤＣＩを送信する手段とを有することを特徴とする基地局装置。
【請求項１３】
上りリンク電力を制御する端末装置に備えられるプロセッサであって、
下りリンク制御情報（ＤＣＩ）を受信する手段と、
上りリンクのリソース割り当てを含むＤＣＩをデコードする手段と、
前記リソース割り当てがＳＣ−ＦＤＭＡとクラスタ化ＳＣ−ＦＤＭＡのどちらを示すかによって上りリンク最大送信電力制限ファクターの値を決定する手段とを有し、
前記上りリンク最大送信電力制限ファクターは、端末装置の最大送信電力を制限するために用いられることを特徴とするプロセッサ。
【請求項１４】
上りリンク電力を制御する端末装置に備えられるプロセッサであって、
下りリンク制御情報（ＤＣＩ）を受信する手段と、
上りリンクのリソース割り当てを含むＤＣＩをデコードする手段と、
前記リソース割り当てでリソースが連続して割り当てられているか否かによって上りリンク最大送信電力制限ファクターの値を決める手段とを有し、
前記上りリンク最大送信電力制限ファクターは、端末装置の最大送信電力を制限するために用いられることを特徴とするプロセッサ。
【請求項１５】
前記リソース割り当ては、連続リソース割り当てのための一つの開始点を示すか、もしくは不連続リソース割り当てのための二つの開始点を示すことを特徴とする請求項１４に記載のプロセッサ。
【請求項１６】
上りリンク電力を制御する端末装置に備えられるプロセッサであって、
下りリンク制御情報（ＤＣＩ）を受信する手段と、
上りリンクのリソース割り当てを含むＤＣＩをデコードする手段とを有し、
前記受信したＤＣＩは、前記リソース割り当てのタイプとして、タイプ０またはタイプ１を示す１ビットの情報を含むことを特徴とするプロセッサ。
【請求項１７】
上りリンク電力を制御に用いられる基地局装置に備えられるプロセッサであって、
上りリンクのリソース割り当てを決める手段と、
連続リソース割り当てのための一つの開始点、もしくは不連続リソース割り当てのための二つの開始点を示す情報を含んだＤＣＩを送信する手段とを有することを特徴とするプロセッサ。
【請求項１８】
上りリンク電力を制御に用いられる基地局装置に備えられるプロセッサであって、
上りリンクのリソース割り当てタイプを決める手段と、
前記リソース割り当てのタイプとしてタイプ０またはタイプ１を示す１ビットの情報を含んだＤＣＩを送信する手段とを有することを特徴とするプロセッサ。
【手続補正２】
【補正対象書類名】明細書
【補正対象項目名】発明の名称
【補正方法】変更
【補正の内容】
【発明の名称】上りリンク電力を制御する方法、端末装置、基地局装置、およびプロセッサ